(57)【要約】【課題】  通信ネットワークを介し仕入先側で納品先の製品生産状況（部品使用状況）をリアルタイムに把握することで、仕入先側製品の生産調整および出荷準備が可能となり、製品生産の効率化を図ることができる生産情報提供方法および生産情報提供システムを提供すること。【解決手段】  製品生産側と、この製品生産に必要な部品の仕入先との間を通信回線４で接続し製品生産側から仕入先に情報を提供して生産状況を把握させる生産情報提供方法で、製品生産側の情報提供サーバ１は、製品に関する所定期間単位の生産計画を生産管理システム３で作成し、この生産計画情報をデータベース１１に記録する。また、前記製品に関する生産実績情報を入手してデータベース１２記録しておく。そして、仕入先のＷｅｂブラウザ５から通信回線４によりアクセスを受けると、前記製品に関する所定期間単位の生産計画情報とこの製品に関する生産実績情報とを、通信回線４により前記仕入先に提供し、Ｗｅｂブラウザ５に表示させる。【選択図】図１
2006318107.tif 000002
【特許請求の範囲】
【請求項１】
製品生産側と、この製品生産に必要な部品の仕入先との間を通信回線で接続し、製品生産側から仕入先に前記製品生産の状況を把握させる情報を提供する生産情報提供方法であって、
製品生産側では、製品に関する所定期間単位の生産計画を生産計画データベースに記録し、かつ、前記製品に関する生産実績情報を生産実績データベースに記録し、
前記仕入先から前記通信回線によりアクセスを受けると、前記製品に関する所定期間単位の生産計画情報とこの製品に関する生産実績情報とを前記通信回線により前記仕入先に提供する
ことを特徴とする生産情報提供方法。
【請求項２】
製品生産側と、この製品生産に必要な部品の仕入先との間を通信回線で接続し、製品生産側から仕入先に情報を提供して生産状況を仕入先に把握させる生産情報提供システムであって、
製品生産側は、製品に関する所定期間単位で作成された生産計画情報を記録する生産計画データベースと、前記製品に関する生産実績情報を入手して記録する生産実績データベースとを有する情報提供サーバを備え、
この情報提供サーバは、前記仕入先の情報機器から前記通信回線によりアクセスを受けると、前記生産計画データベースに記録されている製品に関する所定期間単位の生産計画情報と、前記生産実績データベースに記録されているこの製品に関する生産実績情報とを前記通信回線により前記仕入先の情報機器に対して提供する
ことを特徴とする生産情報提供システム。
【請求項３】
情報提供サーバは、生産計画データベースに記録されている製品に関する所定期間単位の生産計画情報と、前記生産実績データベースに記録されているこの製品に関する生産実績情報とを対比して表示するグラフを作成するグラフ作成手段を有し、この作成されたグラフのデータを仕入先の情報機器に提供することを特徴とする請求項２に記載の生産情報提供システム。
【請求項４】
生産実績データベースは、製品の生産ラインに設置され生産状況をリアルタイムに表示する生産状況表示装置に用いられる情報に基づき、生産実績情報を入手することを特徴とする請求項２又は請求項３に記載の生産情報提供システム。
【発明の詳細な説明】
【技術分野】
【０００１】
本発明は、製品生産側と、この製品生産に必要な部品の仕入先との間を通信回線で接続し、製品生産側から仕入先に情報を提供して生産状況を把握させる生産情報提供方法および生産情報提供システムに関する。
【背景技術】
【０００２】
近年、情報通信技術の発展に伴い、製品生産に関する情報の提供に、この種の技術を活用した提案も行われている（例えば、特許文献１参照）。すなわち、受注者（製品生産側）が製品生産の進行状況を発注者側にネットワークを介して情報提供することが知られている。
【０００３】
しかし、製品生産者側が、その製品に必要な部品を納入させる仕入先に対して情報を提供する例はない。通常、部品を組み立てて完成品を製造する製造業の現場においては、製品生産側（完成品製造工場などの部品発注側）から部品仕入先（納入側）に対し、これまでは生産計画を基にした部品必要数の内示情報を事前に提示していた。部品仕入先（納入側）は、この内示情報に基づいて部品の生産調整を行っている。
【特許文献１】特開２００１−３５０９７０号公報
【発明の開示】
【発明が解決しようとする課題】
【０００４】
この場合、製品生産者側（発注側）にて予測不能なトラブルによる製造ライン停止等が発生すると、製品生産数が減少し、部品仕入先への部品発注量が削減されることになる。このように、部品仕入先側では、内示情報のみからでは予測不能な部品発注量の増・減に影響され、過剰在庫によるコスト増や在庫不足による機会損失を被ってしまう。
【０００５】
本発明の目的は、通信ネットワークを介して製品生産側から部品の仕入先側へ製品生産状況（部品使用状況）を提供することで、仕入先での部品の生産調整および出荷準備が可能となり、併せて部品生産の効率化を図ることができる生産情報提供方法および生産情報提供システムを提供することにある。
【課題を解決するための手段】
【０００６】
本発明の生産情報提供方法は、製品生産側と、この製品生産に必要な部品の仕入先との間を通信回線で接続し、製品生産側から仕入先に前記製品生産の状況を把握させる情報を提供する生産管理方法であって、製品生産側では、製品に関する所定期間単位の生産計画を生産計画データベースに記録し、かつ、前記製品に関する生産実績情報を生産実績データベースに記録し、前記仕入先から前記通信回線によりアクセスを受けると、前記製品に関する所定期間単位の生産計画情報とこの製品に関する生産実績情報とを前記通信回線により前記仕入先に提供することを特徴とする。
【０００７】
また、本発明の生産情報提供システムは、製品生産側と、この製品生産に必要な部品の仕入先との間を通信回線で接続し、製品生産側から仕入先に情報を提供して仕入先に生産状況を把握させる生産管理システムであって、製品生産側は、製品に関する所定期間単位で作成された生産計画情報を記録する生産計画データベースと、前記製品に関する生産実績情報を入手して記録する生産実績データベースとを有する情報提供サーバを備え、この情報提供サーバは、前記仕入先の情報機器から前記通信回線によりアクセスを受けると、前記生産計画データベースに記録されている製品に関する所定期間単位の生産計画情報と、前記生産実績データベースに記録されているこの製品に関する生産実績情報とを前記通信回線により前記仕入先の情報機器に提供することを特徴とする。
【０００８】
本発明の生産管理システムでは、情報提供サーバは、生産計画データベースに記録されている製品に関する所定期間単位の生産計画情報と、前記生産実績データベースに記録されているこの製品に関する生産実績情報とを対比して表示するグラフを作成するグラフ作成手段を有し、この作成されたグラフのデータを仕入先の情報機器に対して提供するようにしてもよい。
【０００９】
また、本発明の生産管理システムでは、生産実績データベースは、製品の生産ラインに設置され生産状況をリアルタイムに表示する生産状況表示装置に用いられる情報に基づき生産実績情報を入手する。
【発明の効果】
【００１０】
本発明によれば、部品を組み立てて完成品を製造する製造業において、部品仕入先側で発注側生産現場の製品生産状況（部品使用状況）をリアルタイムに把握できることにより、仕入先側では精度の高い生産調整および出荷準備を行うことが可能となり、過剰在庫によるコスト増や在庫不足による機会損失を低減することができる。
【発明を実施するための最良の形態】
【００１１】
以下、本発明の一実施の形態について、図面を用いて詳細に説明する。
【００１２】
図１は、この実施の形態による生産情報提供システムの全体構成を示している。図１において、１は情報提供サーバ、２は生産状況表示装置（あんどん盤とも言う）、３は生産管理システムで、これらは、製品生産側、すなわち、発注側の生産現場に設けられる。
【００１３】
４は通信回線の一例であるインターネットで、このインターネット４の図示下方部分は、部品の仕入先（納入側）を示している。５はＷｅｂブラウザ装置で、仕入先の情報機器に設けられ、インターネット４を介して発注側の生産状況を表示する。
【００１４】
情報提供サーバ１は、生産計画データベース（以下、生産計画ＤＢ）１１と、生産実績データベース（以下、生産実績ＤＢ）１２とを有する。生産計画ＤＢ１１は、生産管理システム３で作成された、製品に関する所定期間単位（例えば、日単位）の生産計画情報を記録する。生産実績ＤＢ１２は、製品に関する生産実績情報を随時入手して記録する。この生産実績ＤＢ１２は、例えば、製品の生産ラインに設置され、生産状況をリアルタイムに表示する生産状況表示装置２に用いられる情報に基づき生産実績情報を入手するようにしてもよい。
【００１５】
このように、発注側の情報提供サーバ１は、生産実績を取得し集計表示する生産状況表示装置２及び生産管理システム３から、生産状況、生産計画に関する情報を取り込み、生産実績ＤＢ１２及び生産計画ＤＢ１１に格納する。
【００１６】
また、発注側の情報提供サーバ１は、インターネット４を介し、仕入先側のＷｅｂブラウザ装置５に情報を提供する。すなわち、情報提供サーバ１は、仕入先の情報機器に設けられたＷｅｂブラウザ装置５から、インターネット４によりアクセスを受けると、生産計画ＤＢ１１に記録されている製品に関する所定期間単位の生産計画情報と、前記生産実績ＤＢ１２に記録されているこの製品に関する生産実績情報とを、インターネット４により仕入先のＷｅｂブラウザ装置５に提供する。
【００１７】
ここで、発注側の情報提供サーバ１と仕入先側のＷｅｂブラウザ装置５との間の通信には、情報漏洩を防ぐため、例えば、ｈｔｔｐｓプロトコルにより暗号化通信を行い、セキュリティ性を持たせた。
【００１８】
また、前記情報提供サーバ１に、図示していないが、グラフ作成手段を設けて、生産計画ＤＢ１１に記録されている製品に関する所定期間単位の生産計画情報と、前記生産実績ＤＢ１２に記録されているこの製品に関する生産実績情報とを対比して表示するグラフを作成し、この作成されたグラフを仕入先のＷｅｂブラウザ装置５に提供するようにしてもよい。
【００１９】
次に、作用を説明する。発注側に設置した情報提供サーバ１にはＷｅｂサーバ機能及びアプリケーションサーバ機能を持たせる。情報提供サーバ１では、生産管理システム３から日次バッチ処理にて当日の生産計画データを取り込み、情報提供サーバ１のデータベースである生産計画ＤＢ１１に登録する。また、情報提供サーバ１は、例えば、生産現場に設置されている生産状況表示装置２から、リアルタイムに生産状況に関する情報を取り込み、情報提供サーバ１のデータベースである生産実績ＤＢ１２に登録する。
【００２０】
仕入先側のＷｅｂブラウザ装置５は、仕入先の情報提供サーバ１のログイン用アドレス（ＵＲＬ）に、ｈｔｔｐｓ通信プロトコルにてアクセスを行い、ログイン認証を行う。認証されたＷｅｂブラウザ装置５は、仕入先側ユーザのログインＩＤに対応した情報提供画面をＷｅｂブラウザ装置５に表示する。Ｗｅｂブラウザ装置５の画面は数秒毎に自動リフレッシュを行い、最新の情報を表示する。
【００２１】
このように、仕入先側のＷｅｂブラウザ装置５には、発注側の製造ラインにおける製品の生産状況、及び仕入先側へ発注する部品の使用状況に関する情報が提供される。また、Ｗｅｂブラウザ装置５に表示させる生産状況、部品使用状況は、当日の生産計画と対比させた形で、グラフ表示を可能とする。
【００２２】
このように、部品仕入先側で発注側生産現場の製品生産状況（部品使用状況）をリアルタイムに把握できるので、仕入先側では精度の高い製品生産調整および出荷準備を行うことが可能となる。したがって、過剰在庫によるコスト増や在庫不足による機会損失を低減することができる。
【図面の簡単な説明】
【００２３】
【図１】本発明による生産情報提供システムの一実施の形態を示すシステム構成図である。
【符号の説明】
【００２４】
１    情報提供サーバ
２    生産状況表示装置
３    生産管理システム
４    通信回線
５    仕入先情報機器のＷｅｂブラウザ
１１    生産計画データベース
１２    生産実績データベース
【図１】
2006318107.tif 000003